(57)【要約】【課題】            一般的な虫ピンや安全ピンは取り扱いが不便であるという点であり、部品点数が増加し、装着時の見栄えが悪いという点である。【解決手段】        止着用具はピン体の後端に弾発性を保持した屈曲部を形成し、その屈曲部と一体に連続形成された支持軸を前記したピン体の対辺方向に備え、その支持軸の先端に前記した屈曲部の弾発力によってピン体の先端近傍が押圧当接される閉接部を一体的に備えていることとし、前記した閉接部はピン体と支持軸とのスペーサとされ、そのピン体との当接部分にはピン体を受ける凹陥溝を形成してあることとし、閉接部のピン体の当接部分の前方は欠落され、ピン体の先端が当接状態で浮く構成とされていることとし、前記した閉接部は支持軸の遊端側を屈成加工して成形してあることとする。【選択図】          図１
2006212192.tif 000002
【特許請求の範囲】
【請求項１】
ピン体の後端に弾発性を保持した屈曲部を形成し、その屈曲部と一体に連続形成された支持軸を前記したピン体の対辺方向に備え、その支持軸の先端に前記した屈曲部の弾発力によってピン体の先端近傍が押圧当接される閉接部を一体的に備えていることを特徴とする止着用具。
【請求項２】
前記した閉接部はピン体と支持軸とのスペーサとされ、そのピン体との当接部分にはピン体を受ける凹陥溝を形成してあることを特徴とする請求項１に記載の止着用具。
【請求項３】
前記した閉接部のピン体の当接部分の前方は欠落され、ピン体の先端が当接状態で浮く構成とされていることを特徴とする請求項１または請求項２に記載の止着用具。
【請求項４】
前記した閉接部は支持軸の遊端側を屈成加工して成形してあることを特徴とする請求項１、請求項２または請求項３に記載の止着用具。
【発明の詳細な説明】
【技術分野】
【０００１】
本発明は止着用具に関し、主として衣類にリボン、名札、ブローチ等を取り付ける際に使用する止着用具に関する。
【背景技術】
【０００２】
従来、上記したような目的ではごく小さな虫ピンが代用されたり、安全ピンが使用されるのが一般的である。しかし、虫ピンは小さいため扱いにくく、また安全ピンは拡開方向にピン体が附勢されているもので、そのピン体の先端を係合し、カバーする係合部から附勢方向に抗する力を与えてその係合を解除し、衣類にリボン等の取り付け後、再びピン体を閉じ係合部へ係合させるという面倒な作業が要求されるもので、これを片手の指先で実行することも多く、器用さも必要となって、第三者に止着をしてもらわなければならない事も多かった。
【０００３】
この操作の不便性に着目して特開２０００−８３７０８号公報に記載されたような安全ピンが提示されている。この従来例はピン体と受け側を二分割して引張スプリングで連接し、その端部に摘みを設けてあり、ピン体の先端が係合される係合部（収納ハウス）とより構成されている。
【０００４】
しかしながら、この先行する安全ピンにあっても着脱時にピン体を係合解除し、また係合する作業が要求され、また、引張スプリングや摘み等の部品点数が増え、製作工程が多岐に亘り、製品価格も高くなってしまうものであり、装着時に摘みも露呈して外見上の見栄えも悪いものであった。
【特許文献１】特開２０００−８３７０８号公報
【発明の開示】
【発明が解決しようとする課題】
【０００５】
本発明が解決しようとする問題点は一般的な虫ピンや安全ピンは取り扱いが不便であるという点であり、特許文献として示した先行技術の場合は部品点数が増加し、装着時の見栄えが悪いという点である。
【課題を解決するための手段】
【０００６】
この問題点を解決するために本発明に係る止着用具はピン体の後端に弾発性を保持した屈曲部を形成し、その屈曲部と一体に連続形成された支持軸を前記したピン体の対辺方向に備え、その支持軸の先端に前記した屈曲部の弾発力によってピン体の先端近傍が押圧当接される閉接部を一体的に備えていることを特徴とし、前記した閉接部はピン体と支持軸とのスペーサとされ、そのピン体との当接部分にはピン体を受ける凹陥溝を形成してあることを特徴とし、前記した閉接部のピン体の当接部分の前方は欠落され、ピン体の先端が当接状態で浮く構成とされていることを特徴とし、前記した閉接部は支持軸の遊端側を屈成加工して成形してあることを特徴としている。
【発明の効果】
【０００７】
上記した構成としたことによって、片手の指先のみで簡単にピン体を閉接部と離し、そのピン体の衣類への挿通や引き抜きをワンタッチ作業で実行することができ、ピン体から指先を離せば、自動的に初期状態に復元することとなる。
【０００８】
また、その構成は極めてシンプルなものとなっており、部品点数も少なく製作工程も簡易となるため、大量生産にも適し、安価なものとして需要者に供給することができる。
【発明を実施するための最良の形態】
【０００９】
実施例として図面に示すような形態とすることで実現した。
【実施例１】
【００１０】
次に、本発明の好ましい実施の例を図面を参照して説明する。図１は本発明を実施した止着用具を示す斜視図、図２は同じく側面図、図３は同じく平面図、図４は同じく正面図、図５は同じく他の例を示す側面図である。
【００１１】
これらの図にあって１は止着用具本体を示している。この止着用具本体１は本実施例にあって、弾発性を保有する素材として針金状鋼材を用いたピン体２を有している。このピン体２の一方端を尖らされて、衣類等への突き刺し部２ａが形成されている。
【００１２】
このピン体２の他端（後端）は弧状に屈曲され、弾発性を保有する屈曲部３とされ、その屈曲部３から一体に支持軸４がピン体２と対辺方向に設けられている。この屈曲部３における弾発性はピン体２の突き刺し部２ａを支持軸４の先端方向へ附勢する。即ち、閉塞方向へと作用するものとなっている。
【００１３】
このピン体２と支持軸４の成形は一本の鋼材を強制的に曲げ加工することでも、あるいは型を用いてピン体２と支持軸４の先端が接触する程度の形状に溶解された素材を流し込み、冷却することでも得ることや、ピン体２と支持軸４を別途に得、熔着することでも得られる。
【００１４】
また、支持軸４の先端には閉接部５が一体的に設けられている。この実施例における閉接部５はその厚さは少なくともピン体２の径よりも厚く形成された板状のものとされ、ピン体２を受ける当接部分５ａは短寸となっており、ピン体２の突き刺し部２ａの近傍（基端）を密に受け入れる凹陥溝５ｂが形成されている。さらに、その当接部分５ａから先端にかけては欠落され、ピン体２ａを衣類等に突き刺す作業が行ない易いようガイドとなり、突き刺し部２ａを初期状態で浮かせるためのテーパ部５ｃが形成されている。
【００１５】
ここで閉接部５はピン体２を受けるのみでなく、屈曲部３の弾発性によってピン体２と支持軸４とが接触もしくは接触に近く寄ってしまうことを防止するスペーサとしても作用しているもので、その素材はピン体２や支持軸４と同じものでもよく、プラスチック、硬質ゴム、セラミック等を用い、支持軸４に一体化させてもよい。また、閉接部５は無垢のものでも中空のものでもよい。
【００１６】
一方、図５として示す止着用具本体１ａは第二の実施例であり、この場合には閉接部６を支持軸４の遊端を曲成することで一体に形成してあり、当接部分６ａのみはやや幅広として凹陥溝６ｂを形成してある。テーパ部６ｃも一体に形成した構成となっており、この場合はピン体２による押圧附勢に対する反作用である押し返しも閉接部６として曲成した屈曲部６ｄの作用でより強いものとなっている。
【００１７】
本実施例に係る止着用具は上記のように構成されており、これを使用するについては、装着したいリボン等を衣類の表面にあてがって、浮いた状態となっているピン体２の突き刺し部２ａを衣類をつまみ上げて刺し通すことで、ピン体２と閉接部５、６の間にリボン等と服地を挟んで進み、ピン体２が刺し通されれば、ピン体２は再び閉接部５、６に押圧当接し、装着が終了する。また、リボン等を予め支持軸４に取り付けて行なうことも可能である。取り外しは閉接部５、６を摘み、ピン体２を浮かせ気味にして引き抜くことで簡単に終了する。また、この使用する方向は横方向のみならず、縦、斜めにも自在となる。
【００１８】
さらに、本発明は閉接部５、６のサイズを大きくしていくことで、ピン体２と支持軸４との初期状態を略平行とするのみでなく、例えば３０度、４５度、６０度等とすることもでき拡開した状態での止着状態も得ることができるようになり、装着するリボン、名札等の向きを自在に選択することもできる。
【産業上の利用可能性】
【００１９】
本発明に係る止着用具は上述のように構成されているもので、リボン等を衣類に装着するほか、待ち針としても使用でき、また、素材も鋼材に限らずプラスチックや竹（ひご）、弾発性のある木材、硬質紙等も利用可能で、さらにサイズを大型化すれば、室内、室外にあって壁飾りや幕、のれん、カーテン等の吊持用基材としても応用利用することが可能となってくる。
【図面の簡単な説明】
【００２０】
【図１】本発明を実施した止着用具を示す斜視図である。
【図２】側面図である。
【図３】平面図である。
【図４】正面図である。
【図５】他の例を示す側面図である。
【符号の説明】
【００２１】
１    止着用具本体
１ａ  止着用具本体
２    ピン体
３    屈曲部
４    支持軸
５    閉接部
５ａ  当接部分
５ｂ  凹陥溝
５ｃ  テーパ部
６    閉接部
６ａ  当接部分
６ｂ  凹陥溝
６ｃ  テーパ部
６ｄ  屈曲部
【図１】
2006212192.tif 000003
【図２】
2006212192.tif 000004
【図３】
2006212192.tif 000005
【図４】
2006212192.tif 000006
【図５】
2006212192.tif 000007